【手続補正書】
【提出日】平成16年8月13日(2004.8.13)
【手続補正１】
【補正対象書類名】特許請求の範囲
【補正対象項目名】全文
【補正方法】変更
【補正の内容】
【特許請求の範囲】
【請求項１】
オーダ情報を入力し、無線送信する複数の無線携帯端末と、売上情報を記憶部に記憶し管理するＰＯＳ端末と、作業者にオーダ情報を通知するオーダ情報通知手段と、売上情報、オーダ情報、テーブル情報などの情報を管理するシステム制御装置と、このシステム制御装置と有線接続した通信制御装置と、前記オーダ情報通知手段に有線接続した無線端末と、前記通信制御装置に有線接続し、前記複数の無線携帯端末及びオーダ情報通知手段に有線接続した前記無線端末と時分割複信方式で無線通信する無線基地局とを備え、
前記システム制御装置は前記通信制御装置及び無線基地局を介して前記複数の無線携帯端末並びに前記無線端末に有線接続したオーダ情報通知手段と時分割複信方式による無線通信により情報の送受信を行い、前記各無線携帯端末は、ディスプレイを設けるとともに前記システム制御装置が管理するオーダ情報やテーブル情報を照会できる照会機能を有し、この照会機能を稼動させることで前記システム制御装置からオーダ情報やテーブル情報を受信して前記ディスプレイに表示し、前記無線基地局と前記無線端末との間を常時無線接続状態にしたことを特徴とする注文データ管理システム。
【請求項２】
オーダ情報を入力し、無線送信する複数の無線携帯端末と、売上情報を記憶部に記憶し管理するＰＯＳ端末と、作業者にオーダ情報を通知するオーダ情報通知手段と、売上情報、オーダ情報、テーブル情報などの情報を管理するシステム制御装置と、このシステム制御装置と有線接続した通信制御装置と、前記オーダ情報通知手段に有線接続した無線端末と、前記通信制御装置に有線接続し、前記複数の無線携帯端末及びオーダ情報通知手段に有線接続した前記無線端末と時分割複信方式で無線通信する無線基地局とを備え、
前記システム制御装置は前記通信制御装置及び無線基地局を介して前記複数の無線携帯端末並びに前記無線端末に有線接続したオーダ情報通知手段と時分割複信方式による無線通信により情報の送受信を行い、前記各無線携帯端末は、ディスプレイを設けるとともに前記システム制御装置が管理するオーダ情報やテーブル情報を照会できる照会機能を有し、この照会機能を稼動させることで前記システム制御装置からオーダ情報やテーブル情報を受信して前記ディスプレイに表示し、前記無線基地局と前記無線端末との時分割複信方式による無線通信に複数のスロットを使用したことを特徴とする注文データ管理システム。
【請求項３】
オーダ情報を入力し、無線送信する複数の無線携帯端末と、売上情報を記憶部に記憶し管理するＰＯＳ端末と、このＰＯＳ端末に内蔵又は外部接続し、売上情報、オーダ情報、テーブル情報などの情報を管理するシステム制御装置と、作業者にオーダ情報を通知するオーダ情報通知手段と、前記システム制御装置と有線接続した通信制御装置と、前記オーダ情報通知手段に有線接続した無線端末と、前記通信制御装置に有線接続し、前記複数の無線携帯端末及びオーダ情報通知手段に有線接続した前記無線端末と時分割複信方式で無線通信する無線基地局とを備え、
前記システム制御装置は前記通信制御装置及び無線基地局を介して前記複数の無線携帯端末並びに前記無線端末に有線接続したオーダ情報通知手段と時分割複信方式による無線通信により情報の送受信を行い、前記各無線携帯端末は、ディスプレイを設けるとともに前記システム制御装置が管理するオーダ情報やテーブル情報を照会できる照会機能を有し、この照会機能を稼動させることで前記システム制御装置からオーダ情報やテーブル情報を受信して前記ディスプレイに表示し、前記無線基地局と無線端末との間を常時無線接続状態にしたことを特徴とする注文データ管理システム。
【請求項４】
オーダ情報を入力し、無線送信する複数の無線携帯端末と、売上情報を記憶部に記憶し管理するＰＯＳ端末と、このＰＯＳ端末に内蔵又は外部接続し、売上情報、オーダ情報、テーブル情報などの情報を管理するシステム制御装置と、作業者にオーダ情報を通知するオーダ情報通知手段と、前記システム制御装置と有線接続した通信制御装置と、前記オーダ情報通知手段に有線接続した無線端末と、前記通信制御装置に有線接続し、前記複数の無線携帯端末及びオーダ情報通知手段に有線接続した前記無線端末と時分割複信方式で無線通信する無線基地局とを備え、
前記システム制御装置は前記通信制御装置及び無線基地局を介して前記複数の無線携帯端末並びに前記無線端末に有線接続したオーダ情報通知手段と時分割複信方式による無線通信により情報の送受信を行い、前記各無線携帯端末は、ディスプレイを設けるとともに前記システム制御装置が管理するオーダ情報やテーブル情報を照会できる照会機能を有し、この照会機能を稼動させることで前記システム制御装置からオーダ情報やテーブル情報を受信して前記ディスプレイに表示し、前記無線基地局と無線端末との時分割複信方式による無線通信に複数のスロットを使用したことを特徴とする注文データ管理システム。
【手続補正２】
【補正対象書類名】明細書
【補正対象項目名】００１０
【補正方法】変更
【補正の内容】
【００１０】
本発明は、送信待ち時間の短縮化及び電波衝突の低減化を図ることができ、従ってスムーズな業務遂行ができ、また、客席部のレイアウト変更或いは厨房のレイアウト変更等を行う場合にオーダ情報通知手段の配置換え等が低コスト、かつ短時間で容易にでき、しかも、照会機能によって店員の業務効率を向上できるとともに店員が顧客に対して一層きめの細かいサービスを行うことができる注文管理システムを提供する。
【手続補正３】
【補正対象書類名】明細書
【補正対象項目名】００１１
【補正方法】変更
【補正の内容】
【００１１】
本発明は、オーダ情報を入力し、無線送信する複数の無線携帯端末と、売上情報を記憶部に記憶し管理するＰＯＳ端末と、作業者にオーダ情報を通知するオーダ情報通知手段と、売上情報、オーダ情報、テーブル情報などの情報を管理するシステム制御装置と、このシステム制御装置と有線接続した通信制御装置と、オーダ情報通知手段に有線接続した無線端末と、通信制御装置に有線接続し、複数の無線携帯端末及びオーダ情報通知手段に有線接続した無線端末と時分割複信方式で無線通信する無線基地局とを備え、システム制御装置は通信制御装置及び無線基地局を介して複数の無線携帯端末並びに無線端末に有線接続したオーダ情報通知手段と時分割複信方式による無線通信により情報の送受信を行い、各無線携帯端末は、ディスプレイを設けるとともにシステム制御装置が管理するオーダ情報やテーブル情報を照会できる照会機能を有し、この照会機能を稼動させることでシステム制御装置からオーダ情報やテーブル情報を受信してディスプレイに表示し、無線基地局と無線端末との間を常時無線接続状態にしたことにある。
【手続補正４】
【補正対象書類名】明細書
【補正対象項目名】００１２
【補正方法】変更
【補正の内容】
【００１２】
本発明によれば、送信待ち時間の短縮化及び電波衝突の低減化を図ることができ、従ってスムーズな業務遂行ができ、また、客席部のレイアウト変更或いは厨房のレイアウト変更等を行う場合にオーダ情報通知手段の配置換え等が低コスト、かつ短時間で容易にでき、しかも、照会機能によって店員の業務効率を向上できるとともに店員が顧客に対して一層きめの細かいサービスを行うことができる。
【手続補正５】
【補正対象書類名】明細書
【補正対象項目名】００１３
【補正方法】変更
【補正の内容】
【００１３】
また、本発明によれば、さらに、システム制御装置とオーダ情報通知手段との間の無線通信が迅速にできる。  
また、本発明によれば、さらに、無線携帯端末及び無線端末と、無線基地局との無線通信が迅速にできる。
【手続補正６】
【補正対象書類名】明細書
【補正対象項目名】００１４
【補正方法】変更
【補正の内容】
【００１４】
また、本発明によれば、さらに、無線基地局が複数の無線携帯端末及び無線端末との間で同時に無線通信ができて通信効率を向上できるとともにシステム内に多数の無線携帯端末や無線端末を組み込むことができる。  
また、本発明によれば、さらに、無線基地局と無線端末との間の伝送速度を高速化して無線通信が迅速にできる。